(57)【要約】【課題】受網を着脱自在に構成し、該受網に着脱操作用の把手を備えた脱穀機において、受網の着脱操作がし易く、且つ脱穀作業に支障を来さない受網の把手を得る。【解決手段】把手を、受網の穀粒漏下部分で、且つ受網の扱胴周方向略中央の前後両側に夫々設けると共に、着脱操作姿勢と収納姿勢とに切り換え可能な構成とした。また、受網の枠体を、矩形状の受網フレームと扱胴周方向に設けられた補強フレームとで構成し、上記把手を補強フレームに取り付けた。【選択図】図６
2005130763.tif 000002
【特許請求の範囲】
【請求項１】
扱室（１）内に回転自在に設けられた扱胴（５）の外周に沿って受網（６）を設け、該受網（６）を着脱自在に構成すると共に、受網（６）に着脱操作用の把手（３５）を設けた脱穀機において、上記把手（３５）を、受網（６）の穀粒漏下部分で、且つ受網（６）の扱胴周方向略中央の前後両側に夫々設けると共に、着脱操作姿勢と収納姿勢とに切り換え可能な構成としたことを特徴とする脱穀機の受網。
【請求項２】
受網（６）の枠体を、矩形状の受網フレーム（６ｃ）と扱胴周方向に設けられた補強フレーム（６ｄ）とで構成し、上記把手（３５）を補強フレーム（６ｄ）に取り付けた請求項１記載の脱穀機の受網。
【発明の詳細な説明】
【技術分野】
【０００１】
本発明は、脱穀機の受網構成に関するものである。
【背景技術】
【０００２】
一般的に、この種の脱穀機の受網は、使用している内に被脱穀物の藁屑等で網目が詰まってしまい、受網の選別処理能力を低下させてしまうため、時々受網を機外に取出して掃除する必要がある。
その為、通常は、扱室の扱口側を開放した状態で、扱室内の保守点検や整備、殊に、受網の着脱が出来るように構成しているが、上記受網は強度の必要性から頑丈に構成されていて重量が大であり、しかも、使用によって藁屑等が徐々に圧縮されて受網に固く固着していたり、脱穀時の過負荷等で変形している場合が考えられ、受網を機外に取出すにはかなりの力を必要とするので、扱胴周方向に分割型とした上に、オペレータが持ち上げ操作を容易に行えるように、着脱操作用の把手を必要としている。
そして、受網着脱用の一対の把手を受網の仕切板の奥側端部に設けたり、該仕切板と一体的に設けたものは既に知られている（例えば、特許文献１参照。）。
【特許文献１】特許３２０１７０３号公報（第３，４頁、図３，４，５）
【発明の開示】
【発明が解決しようとする課題】
【０００３】
しかしながら、上記特許文献１記載の受網着脱用の把手の場合には、受網を外部に取り出す際の全体の重量バランスが悪く、把手を仕切板の奥側端部に設けた場合には持ち上げ操作がしにくく、また、把手を仕切板と一体的に設けた場合には把手を余り大きく構成することが出来ず、把手が持ち難いとの操作上の課題があった。
本発明の目的は、上記従来の不具合を改善する点にある。
【課題を解決するための手段】
【０００４】
上記目的を達成するため、本発明においては、扱室内に回転自在に設けられた扱胴の外周に沿って受網を設け、該受網を着脱自在に構成すると共に、受網に着脱操作用の把手を設けた脱穀機において、上記把手を、受網の穀粒漏下部分で、且つ受網の扱胴周方向略中央の前後両側に夫々設けると共に、着脱操作姿勢と収納姿勢とに切り換え可能な構成としたことを第１の特徴とする。
【０００５】
また、受網の枠体を、矩形状の受網フレームと扱胴周方向に設けられた補強フレームとで構成し、上記把手を補強フレームに取り付けたことを第２の特徴とする。
【発明の効果】
【０００６】
受網の把手を、受網の穀粒漏下部分で、且つ受網の扱胴周方向略中央の前後両側に夫々設けたので、受網を機外に取出すのに大きな力を必要とする場合であっても、オペレータが受網を着脱する際に持ち易く、しかも、全体の重量バランスが良くて持ち上げ操作が楽となるものである。
また、把手は着脱操作姿勢と収納姿勢とに切り換え可能な構成としたので、脱穀作業中は収納され搬送穀稈等が把手に引掛かり搬送の邪魔になって、詰まりや破損の原因となるようなことはない。
更に、把手を補強フレームに取り付けたので把手の支持が強固になり、また、把手支持用に別途部材を設ける必要がなく構成が簡素化できる。
【発明を実施するための最良の形態】
【０００７】
扱室内に回転自在に設けられた扱胴の外周に沿って受網を設け、該受網を着脱自在に構成すると共に、受網に着脱操作用の把手を設けた脱穀機において、受網の枠体を、矩形状の受網フレームと扱胴周方向に設けられた補強フレームとで構成し、上記把手を、受網の穀粒漏下部分で、且つ受網の扱胴周方向略中央の前後両側位置で補強フレームに夫々取り付けると共に、着脱操作状態と収納状態とに切り換え可能な構成とした。
【実施例１】
【０００８】
本発明の実施例を以下図面に基づいて説明する。
図１は、本発明を採用した自脱型コンバイン等に採用される脱穀機の全体側断面図、図２は、扱室を開放して受網を取出す際の正面視の作用説明図であり、Ａはコンバイン等に搭載用の脱穀機で、通常の脱穀機と同様に、１は前後の側壁２，３と上方の天板４及び扱胴５の前面から下面を経由して後面に至る迄の扱胴５表面形状に沿って湾曲した受網６とで囲まれた扱室である。
そして、上記扱胴５は、周囲に多数の扱歯７・・・を備え、扱胴軸８を介して回転自在に支持されて、図示外のエンジンからの動力で、所定方向に回転することにより、扱室１外の扱口Ｃ側に設けたフィードチェン９で挟持搬送される穀稈の穂先部を脱穀処理することにより、穀稈の脱粒作用を行うようになっている。
なお、上記扱胴５は、脱粒処理能力を上げるために、図１に記載の如く前部扱胴５ａとこれより回転速度の早い後部扱胴５ｂとで構成されている。
【０００９】
また、上記扱室１の末端部には送塵口１１があって、穀粒の混ざった藁屑や穂切れ等の脱穀処理物が、送塵口１１より処理室１２内に送られ、該処理室１２内で処理胴１３の回転により、再度の脱粒処理が行われ、穀粒等は処理胴受網１４から漏下し、それ以外の大きな処理物等はその後方の排出口１５から下方の選別室Ｂ内に排出される。
【００１０】
次に、上記扱室１下方の受網６や処理胴受網１４等から選別室Ｂ内に落下した穀粒等は、その下方全面に亘る揺動選別体１６上に連続状に落下して選別処理を施される。
即ち、１７はクリンプ網、１８はその後方にあるストローラックであって、被選別物は上記揺動選別体１６上で揺動作用を受けている間に、下方前方にある唐箕ファン１９や中央の横断流ファン２０及び後方の排塵ファン２１等で形成される風選路による風選作用を受けながら、前方から後方に向けて順次選別搬送されながら、穀粒等の一番物は一番受樋２２内へ、また重くて稍大きな穂切れ等はその後方の二番受樋２３内に夫々収納され、それ以外の塵埃物等は後方の排塵ファン２１により排塵口２４より機外に排出される。
【００１１】
また、一番受樋２２内に収容された一番物は、一番螺旋２２ａにて機体の側方に送られ（図２参照）た後、揚穀筒２６にて穀粒タンク２７内に収納され、二番受樋２３内に収容された二番物は、二番螺旋２３ａにより機体の側方に送られた後、二番還元筒２８にて上記揺動選別体１６上に還元されて、再度選別処理を施されるものである。
なお、上記フィードチェン９末端に引き続いて排藁搬送体２９が後方に向けて備えてあり、その末端下方には、切断処理装置３０が備えられている。
【００１２】
更に、図２のフィードチェン９側近傍には上記扱室１の上方側への開放ロックを解除して、天板４を含むシリンダーカバー全体を上昇させて、脱穀機Ａの扱口Ｃ側を開放するための長いハンドルレバー３１が備えられており、３２は扱室１の扱口Ｃ側開放時に重量のある扱胴５や天板４を含むシリンダカバーごと奥側を起点として、上昇させる時の揚力を軽減するためのダンパーである。
【００１３】
次に、図３及び図４は、受網部分の詳細を示し、図３は要部の斜視図、図４は同上平面図であって、受網６は扱口Ｃ側から見て、奥側受網６Ａと手前側受網６Ｂの２枚で構成され、図の後側奥には上記送塵口１１が、手前側には網目の粗い固定網３４が備えられている。
また、上記各受網６Ａ，６Ｂには、扱胴５の外周に沿って湾曲した複数の仕切板６ａ・・が所定の間隔を有して網６ｂ面より上方に起立しており、各受網６Ａ，６Ｂの前後両端側に近い部分には、後述する一対の把手３５・が備えられている。
【００１４】
次に、図５及び図６は、受網の詳細を示し、図５は網を省略した斜視図、図６は全体斜視図である。
即ち、図５の網６ｂを省略した図で説明すると、受網６の枠体は、扱胴５外周に沿う形状に湾曲した横長矩形状の受網フレーム６ｃと、扱胴周方向に設けられた複数の補強フレーム６ｄ・・・で構成され、前記網６ｂは、これら受網フレーム６ｃ及び各補強フレーム６ｄ・・・に多数個の受網止め具６ｅ・・・を介して溶着されている。
なお、本実施例においては、受網６を矩形状のもので説明したが、必ずしも矩形状でなくとも良い。
【００１５】
そして、上述の仕切板６ａ・・を装着する部分の補強フレーム６ｄ・・には、上記受網止め具６ｅを装着せずに、網６ｂを張設した上方から、仕切板６ａと一体に複数箇所形成された止め具６ｆ・・・を差し込んで、該止め具６ｆ・・・と補強フレーム６ｄ・・とを溶着するものであり、仕切板６ａの底面で網６ｂの上面を押さえると共に、仕切り板６ａと一体の止め具６ｆ・・・が補強フレーム６ｄ・・に数箇所で溶着されることにより、相互の強度が増す。しかも、本実施例の如く、止め具６ｆ・・・と補強フレーム６ｄ・・との組付け関係を、左右のもので内外の異方向にすると、網６ｂの面の負荷が大きくても、歪むようなことが防止される。
また、前述の如く網６ｂ面の央部が各補強フレーム６ｄ・・に強力に装着された上、網６ｂの周囲は別の受網止め具６ｇ・・・で装着されるもので、これらにより網６ｂ全面にかなり大きな負荷がかかっても、簡単に外れない状態に確実に固定されるものである。
【００１６】
更に、前記前後一対の把手３５，３５の取付けについては、受網６の穀粒漏下部分の扱胴周方向略中央位置で、前後の端に近い補強フレーム６ｄ，６ｄに各一対のパイプ３５ａ，３５ａを溶接し、上記網６ｂを張設した後、同じく湾曲した側面視がコ字形状の丸棒で出来た把手３５を、上方から両パイプ３５ａ，３５ａ内に挿入して、把手３５の両先端側を夫々割ピン３５ｂ，３５ｂで止着（図７参照）したものである。
従って、上記前後一対の把手３５，３５は、扱口Ｃ側から見ると、扱胴周方向に沿った状態となっている。
なお、本実施例においては、把手３５を側面視がコ字形状のもので説明したが、必ずしもこの形状のものに限定されるものではなく、別形状のものであっても、本願と実質的に同様の作用効果を奏するものであれば良い。
【００１７】
更にまた、把手３５は、図７（ａ）（ｂ）の作用説明図に記載の如く、把手３５がパイプ３５ａ内を上下にスライド自在に装着されている。
なお、上記把手３５は、図７（ａ）の上方に突出した受網６の着脱操作姿勢のままでも上記扱胴５の扱歯７に当接しない位置に構成されるが、オペレータが両把手３５，３５から手を離すと、自重で下がり図７（ｂ）の収納姿勢となるものであり、更に、各パイプ３５ａ，３５ａ内に圧縮スプリングを内装して、把手３５を使用しない時には積極的に図７（ｂ）の収納姿勢となるようにすると切り換えが確実となる。
【００１８】
次に、本願発明の作用について説明するに、先ず、作業前に脱穀機Ａの扱室１内に掃除済の受網６（６Ａ，６Ｂ）を所定の位置に収納セットして、扱胴５や天板４を含むシリンダカバーを下ろしてロックしてから、エンジンを始動して所望箇所を駆動させて、脱穀作業を開始するが、長時間作業したり、脱穀条件の悪い穀稈材料で作業した場合等には、受網６の網目が徐々に詰まって、穀粒の選別処理能力が落ちて、作業に支障を来すようになる。
【００１９】
そのような時には、エンジンを停止させて、各部の駆動を一旦停止させると共に、ハンドルレバー３１を操作して図２の鎖線の如く扱口Ｃ側を扱胴５ごと上方に開放した状態にすると、奥側受網６Ａの規制が解放され、該奥側受網６Ａと扱口Ｃ板（図示省略）側で挟持されている手前側受網６Ｂも同様に規制から解放される。
従って、このような時には、先ず、奥側受網６Ａの前後一対の把手３５，３５を両手で握って持ち上げて取出し、次いで、手前側受網６Ｂを同様にして取出す。
【００２０】
そしてこの時、一対の把手３５，３５は、受網６の穀粒漏下部分で、且つ受網６の扱胴周方向略中央の前後位置へ、扱口Ｃ側から見て扱胴周方向に向けて設けてあるので、受網６を取出すのに大きな力を必要とする場合であっても、オペレータが受網６を取出す際に持ち易く、しかも、全体の重量バランスが良くて、持上げ操作が楽となるものである。
しかも、上記一対の把手３５，３５を支持するパイプ３５ａ，３５ａが頑丈な補強フレーム６ｄに夫々装着されているので、把手３５，３５はかなりの応力にも耐え、強固に支持出来るものであり、把手３５支持用に別途の部材を設ける必要もないので、構成も簡単となる。
【００２１】
更に、上記取出した両受網６Ａ，６Ｂの網目を所定のブラシや箒等の掃除用具できれいに掃除した後、両受網６Ａ，６Ｂを取出し時の逆の順番の操作で、元の位置に再びセットするが、この時も上記と同様にして装着操作がやり易い。
そして、両受網６Ａ，６Ｂのセット操作が完了したならば、再びエンジンを始動して、脱穀作業を再開すれば良い。
【００２２】
即ち、上記受網６の装着操作に当たり、オペレータが上記一対の把手３５，３５から手を放すと、把手３５，３５は突出状態から自動的に没入して略網６ｂ面に近い状態となるので、脱穀作業をすぐに再開しても、搬送穀稈等が上記把手３５，３５に引掛かり搬送の邪魔になって、詰まりや破損の原因となるようなこともない。
【図面の簡単な説明】
【００２３】
【図１】脱穀機の全体側断面図である。
【図２】同上扱室を開放して受網を取出す際の正面視の作用説明図である。
【図３】受網要部の斜視図である。
【図４】同上平面図である。
【図５】受網の網を省略した斜視図である。
【図６】受網の全体斜視図である。
【図７】把手の作用説明図であって、（ａ）は把手の受網着脱操作姿勢、（ｂ）は収納姿勢を示すものである。
【符号の説明】
【００２４】
１  扱室
５  扱胴
６  受網
６Ａ  奥側受網
６Ｂ  手前側受網
６ａ  仕切板
６ｂ  網
６ｃ  受網フレーム
６ｄ  補強フレーム
６ｅ，６ｇ  受網止め具
１６  揺動選別体
３１  ハンドルレバー
３５  把手
３５ａ  パイプ
Ａ  脱穀機
Ｂ  選別室
Ｃ  扱口
【図１】
2005130763.tif 000003
【図２】
2005130763.tif 000004
【図３】
2005130763.tif 000005
【図４】
2005130763.tif 000006
【図５】
2005130763.tif 000007
【図６】
2005130763.tif 000008
【図７】
2005130763.tif 000009